(57)【特許請求の範囲】
【請求項１】
被験者の特定の部位に光を照射し、前記被験者からの通過光を検出して、前記被験者の脳活動信号を得て、集中制御装置に伝送する計測通信モジュールと、
複数の前記計測通信モジュールから、複数の被験者の脳活動信号を受信して、解析・表示する前記集中制御装置を備えた複数脳賦活観測システムにおいて、
前記集中制御装置は、前記受信した複数の被験者の脳活動信号のそれぞれと参照信号との相関度を算出する相関度算出部を備え、算出した相関度に基づいて表示するように構成したことを特徴とする複数脳賦活観測システム。
【請求項２】
請求項１記載の複数脳賦活観測システムにおいて、
前記参照信号は、前記受信した複数の被験者の脳活動信号から選択した信号であることを特徴とする複数脳賦活観測システム。
【請求項３】
請求項１記載の複数脳賦活観測システムにおいて、
前記参照信号は、予め記憶しておいたデフォルト値である脳活動信号であることを特徴とする複数脳賦活観測システム。
【請求項４】
請求項１〜３の何れか一つに記載の複数脳賦活観測システムにおいて、
前記集中制御装置は、相関度の値に応じて、色を変えて、または濃淡を変えて、または面積を変えて、表示するようにしたことを特徴とする複数脳賦活観測システム。
【請求項５】
請求項１〜４の何れか一つに記載の複数脳賦活観測システムにおいて、
前記集中制御装置は、被験者の位置と対応付けて、相関度を表示するようにしたことを特徴とする複数脳賦活観測システム。
【請求項６】
請求項１〜５の何れか一つに記載の複数脳賦活観測システムにおいて、
前記集中制御装置は、被験者をグループ分けし、各グループの相関度を標示するようにしたことを特徴とする複数脳賦活観測システム。
【請求項７】
請求項１〜６の何れか一つに記載の複数脳賦活観測システムにおいて、
前記集中制御装置は、前記参照信号を所定時間ずつ遅延させる遅延手段を備え、前記相関度算出部は、所定時間ずつ遅延した参照信号と各被験者の脳活動信号との相関度を求め、遅延した時間の経過に応じて、各被験者の相関度を表示するようにしたことを特徴とする複数脳賦活観測システム。
【発明の詳細な説明】
【技術分野】
【０００１】
本発明は、複数脳賦活観測システム、特に、複数の被験者の脳活動信号を同時に計測して、複数の被験者の相互作用などを観測できるようにした複数脳賦活観測システムに関するものである。
【背景技術】
【０００２】
脳の活動状態は、近赤外分光法ＮＩＲＳ（光トポグラフィ等）により、簡便に日常生活に近い環境で、無侵襲に測定可能となってきた。光トポグラフィ法は、可視から赤外領域に属する波長の光を被検体に照射し、被検体内部を通過した光を光検出器で検出し、血流の変化に伴うヘモグロビン濃度変化量（または、ヘモグロビン濃度と光路長の積の変化量）を計測し、２次元に画像化する方法である。機能的磁気共鳴画像法ｆＭＲＩ、ポジトロン断層撮像法ＰＥＴ等の脳機能計測技術と比較し、被験者に対する拘束性も低いという特徴を持っており、臨床現場において、この方法により、言語機能や視覚機能などの脳活動の計測が行われている。
【０００３】
例えば映画、演劇などを見た場合に、複数の人が共感するとき、複数の人の脳の特定の部位が同時に賦活すると言われている。ここで、賦活とは、脳が活動（activation）している状況である。この複数の人の脳の賦活を観測することにより、複数の人が共感しているか否かを観測することができる。
【０００４】
特許文献１には、光を用いて生体の血液動態を計測する計測端末と、複数の計測端末を制御しデータ取得と解析表示を行う集中制御装置からなり、同時に複数の被験者の脳活動を計測する生体計測装置が記載されている。
【先行技術文献】
【特許文献】
【０００５】
【特許文献１】特開２００８−２７８９０３号公報
【発明の概要】
【発明が解決しようとする課題】
【０００６】
上記した特許文献１記載の生体計測装置では、同時に複数の被験者の脳活動を計測し、複数の被験者の血液動態変化を並べて表示することが示されているが、血液動態データを比べて見ただけでは、複数の被験者の脳の賦活の同期を観測することは困難である。
【０００７】
本発明は、複数の被験者の脳の同期性を評価し、共感の度合いを評価することができる複数脳賦活観測システムを提供することを目的とする。また、複数の被験者の共感の度合いを表示することができる複数脳賦活観測システムを提供することを目的とする。
【課題を解決するための手段】
【０００８】
上記の課題を解決するために、本発明は、複数の被験者の脳活動信号の相関度を求めるものである。
【０００９】
本発明の複数脳賦活観測システムの代表的な一例を挙げるならば、被験者の特定の部位に光を照射し、前記被験者からの通過光を検出して、前記被験者の脳活動信号を得て、集中制御装置に伝送する計測通信モジュールと、複数の前記計測通信モジュールから、複数の被験者の脳活動信号を受信して、解析・表示する前記集中制御装置を備えた複数脳賦活観測システムにおいて、前記集中制御装置は、前記受信した複数の被験者の脳活動信号のそれぞれと参照信号との相関係数、ｔ値、ＡＮＯＶＡ値等の相関度を算出する相関度算出部を備え、算出した相関度に基づいて表示するように構成したものである。
【００１０】
本発明の複数脳賦活観測システムにおいて、前記参照信号は、前記受信した複数の被験者の脳活動信号から選択した信号でよい。
【００１１】
また、本発明の複数脳賦活観測システムにおいて、前記参照信号は、予め記憶しておいたデフォルト値である脳活動信号でよい。
【００１２】
また、本発明の複数脳賦活観測システムにおいて、前記集中制御装置は、相関度の値に応じて、色を変えて、または濃淡を変えて、または面積を変えて、表示するようにしてもよい。
【００１３】
また、本発明の複数脳賦活観測システムにおいて、前記集中制御装置は、被験者の位置と対応付けて、相関度を表示するようにしてもよい。
【００１４】
また、本発明の複数脳賦活観測システムにおいて、前記集中制御装置は、被験者をグループ分けし、各グループの相関度を表示するようにしてもよい。
【００１５】
また、本発明の複数脳賦活観測システムにおいて、前記集中制御装置は、前記参照信号を所定時間ずつ遅延させる遅延手段を備え、前記相関度算出部は、所定時間ずつ遅延した参照信号と各被験者の脳活動信号との相関度を求め、遅延した時間の経過に応じて、各被験者の相関度を表示するようにしてもよい。
【発明の効果】
【００１６】
本発明によれば、複数の被験者の脳の同期性を評価し、共感の度合いを評価することができる。
【００１７】
また、複数の被験者の共感の度合いを認識することができ、一目で誰と誰が共感しているかを判別することができる。
【図面の簡単な説明】
【００１８】
【図１】本発明の実施例１の複数脳賦活観測システムの概略構成を示す図である。
【図２】本発明の実施例１の集中制御装置の構成を示すブロック図である。
【図３】本発明の実施例１の解析部の構成を示す図である。
【図４】本発明の複数脳賦活観測システムが適用される状況の例である。
【図５】複数の被験者から観測された脳血流データの一例を示す図である。
【図６】脳血流データの相関係数算出用窓を説明する図である。
【図７】複数の被験者の相関を示す表示の一例である。
【図８】教室における複数の生徒の相関を示す表示の一例である。
【図９】本発明の実施例２に関するグループ分けの一例を示す図である。
【図１０】本発明の実施例３に関する脳血流データの一例を示す図である。
【発明を実施するための形態】
【００１９】
本発明の実施の形態を、図面を参照しつつ説明する。
【実施例１】
【００２０】
図１は、本発明の実施例１の複数脳賦活観測システムの概略構成を示す図である。複数脳賦活観測システムは、複数の被験者３００のそれぞれに設けた計測通信モジュール１００と、各計測通信モジュールを制御すると共に、各計測通信モジュールから計測データを受け取り、解析し、表示する集中制御装置２００から構成されている。計測通信モジュール１００は、小型、軽量化して、被験者の頭部に貼り付けるように構成されている。計測通信モジュール１００は、被験者に近赤外光を照射するＬＥＤ等の光源１１、被験者を通過した近赤外光を受光するフォトダイオード等の光検出器１２、光による計測を制御する計測制御部１３、集中制御装置２００と制御信号や計測データなどの送受信を行う無線通信部１４、各部に電源を供給する電池１５などから成る。計測制御部１３には、光源の光量（光強度）を制御する発光量制御回路、血流の個人差を吸収するための自動利得調整回路、測定信号をデジタル信号に変換するＡＤ変換回路などが含まれている。本複数脳賦活観測システムは、例えば、同時に４０人までのリアルタイム計測を可能とする。
【００２１】
図２は、集中制御装置２００の概略構成を示すブロック図である。集中制御装置２００は、各計測制御モジュール１００と信号の送受信を行う通信部２１、各計測制御モジュールから受信した計測データなどを記憶する記憶部２２、計測データを処理して必要な情報を求める解析部２３、解析した情報を基に表示に適したデータを作成する表示データ作成部２４、計測結果を表示する表示部２５から構成されている。また、必要な指令を入力するためのキーボードやマウス等の入力部２６を備えている。そして、各部は、バスライン２７で接続されている。
【００２２】
解析部２３では、各被験者から得られた脳血流データに基づき、脳の賦活度などの評価値を求める。
脳が活動すると流れる血液量が増加するが、この血液量の増加に対して、測定に使用した光が血液により吸収されるため、光検出器で検出する光の強度が減少する。光検出器の計測データから、図５に示される、各被験者ＡからＥの脳血流データが得られる。図５は、横軸の時間に対して、縦軸の脳血流の大きさを示す模式図である。同じ刺激に対しても、各被験者の反応は様々であり、脳血流データの時間変化も被験者により異なっている。
脳の賦活度は、図５の脳血流データを時間積分することに求めることができ、この積分値が大きいほど、脳の賦活度が高いと評価することができる。
【００２３】
本発明は、複数の被験者から同時に計測データを得て、複数の人の脳の賦活状況を観測するものであるが、教室における授業を例として説明する。図４は、教室における授業を示すもので、先生の講義を複数の生徒が受けている。各生徒は計測通信モジュール１００を装着しており、得られる計測データを集中制御装置２００に送り、先生の机の表示部２５に観測結果が表示される。
【００２４】
図５に示されるように、同じ刺激に対して、各被験者の反応は様々であるが、脳血流データの相関度を求めることにより、複数人の脳の賦活の同期性を評価し、共感の度合いを評価することができる。
【００２５】
図３は、解析部２３に含まれている本発明の特徴構成を示す図であり、相関度の一例として相関係数を求める相関係数算出部３１が設けられている。相関係数算出部３１は、各被験者（生徒）Ａ，Ｂ，Ｃ・・・の測定データ３３と参照データ３２とを回帰分析し、相関係数を算出する。相関係数の算出は、図６に示すように、脳血流データの反応期間に相関係数算出用窓６１を設定し、算出用窓６１について相関係数を算出すればよい。
【００２６】
参照データ３２は、予め測定した典型的な脳活動データを複数デフォルト値として記憶しておき、その中から選択しても良い。
【００２７】
また、図４の表示部２５の画面に示すように、各被験者（生徒）の脳の賦活度を一覧表示し、入力部２６により参照データとなる被験者を選択するようにしてもよい。図３および図５は、参照データ３２として被験者Ｅを選択したものであり、この場合、被験者Ｅと各被験者Ａ，Ｂ，Ｃ・・・との共感の度合いが求められる。
【００２８】
図３では、各被験者Ａ，Ｂ，Ｃ，Ｄ・・・の測定データと参照データとの相関係数を求める複数の相関係数算出部３１を並列に備えるように表示しているが、一つの相関係数算出部を設け、各被験者の測定データが順次入力されるようにしても良い。
【００２９】
図７は、図５の脳血流データに関する相関係数の算出結果の表示の一例を示すものである。相関係数が大きいほど面積が大きくなるように、表示しても良いし、また、相関係数が大きいほど色が濃くなるように、濃淡により表示しても良い。図７によれば、参照データとなる被験者Ｅと、被験者Ａ，Ｂ，Ｄ，Ｃの順に相関係数が低くなることが分かる。また、図には示していないが、相関係数に応じて赤色表示・青色表示するなど、色調を変えて表示しても良い。
【００３０】
図８に、図４の教室に対応する、各生徒の賦活観測結果の表示の一例を示す。図において、生徒Ｅは参照データとなる被験者であり、例えばＡ，Ｂ，Ｄ，Ｃに示すように、この被験者と相関が高いほど色が濃くなるように表示されている。
【００３１】
教師は、図８に示される、集中制御装置の表示部２５の画面を見ることにより、各生徒の集中度などを知ることができる。参照データとなる生徒Ｅが授業に集中していれば、色が濃く表示される他の生徒も集中していることとなる。
【００３２】
図８に示すように、被験者の場所と対応付けて賦活観測結果を表示するためには、被験者の場所のデータが必要である。このため、計測制御モジュール１００に、ＧＰＳ装置などの位置測定装置を組み込み、位置データを集中制御装置２００に送るようにすればよい。また、教室のように座席の位置が決まっている場合には、計測制御モジュール１００の識別番号と座席の位置を対応付けて登録しておいても良い。
【００３３】
この実施例では、計測データなどを無線通信で伝送するとしたが、教室などの利用であれば、予め座席に光ファイバ等の伝送ケーブルを設けておき、計測通信モジュール１００を接続して、有線で伝送するようにしても良い。
【００３４】
また、計測通信モジュールは被験者の頭部に貼り付けられるとしたが、バンドなどの固定具で頭部に装着されるようにしても良い。
【００３５】
この実施例では、教室での利用の例を説明したが、本発明はホールや屋外で利用することもできる。ホールや屋外でのコンサート、演劇、講演、演説等の反応を表示することができる。
【実施例２】
【００３６】
実施例1では、各被験者との相関を求めて、被験者毎に相関係数の算出結果を表示したが、被験者をグループ分けして、グループ毎の算出結果を表示しても良い。
【００３７】
例えば図９に示すように、教室内の生徒を、前後方向に前側、中側、後側に、また、左右方向に右側、左側に、合わせて６つのグループに分ける。そして、各グループで生徒の相関係数の平均を求め、各グループの相関を表示する。この場合、一例として参照データとして授業に集中しているデータを用いれば、教室内のどのグループ、どの場所の生徒が授業に集中しているかを一目で表示することができる。
【実施例３】
【００３８】
寄席などでは、笑いが伝搬していくことが知られている。この実施例では、参照データを遅延したデータと各被験者データとの相関をとることにより、反応の伝搬を観測できるようにしたものである。
【００３９】
図１０に示すように、各被験者Ａ，Ｂ，Ｃ，Ｄの反応に時間遅れがあるとすると、それぞれ時間ｔ０，ｔ１，ｔ２，ｔ３から始まる参照データと、被験者Ａ，Ｂ，Ｃ，Ｄの脳血流データとの相関係数をとると、相関係数が最大となる。この遅延時間と相関係数とのデータを求め、時間の経過に応じて各被験者の相関を図８のように表示することにより、反応の伝搬を観測表示することができる。
【００４０】
回路構成としては、図３のブロック図において、参照データ３２を所定時間ずつ遅延させる遅延手段を設け、相関係数算出部３１で、所定時間ずつ遅延した参照データと各被験者の測定データ３３との相関係数を求める。そして、遅延した時間の経過に応じて、各被験者の相関係数の算出結果を表示すればよい。
【００４１】
本発明によれば、多人数の脳活動の同時計測と、時間と空間を共有する個人間の脳活動のインタラクションの観測が可能となる。
【００４２】
教育現場において、従来、教育実践中の児童や生徒の反応は、教師個人の主観によって判断し、理解度や授業への集中度を推測していたが、本発明によれば、計測通信モジュールを児童・生徒側に装着し、授業中の児童・生徒の脳活動情報をオンラインで教師側にフィードバックすることにより、児童・生徒の理解度や集中度を客観的にモニタすることが可能となる。
【００４３】
また、脳活動のインタラクションを観察し解析することによって、多人数が存在する環境下で、より効率的なコミュニケーション手法の獲得、チーム作業のより効率的な遂行法の開発などの研究が可能となる。さらに、多人数の環境下での、対人関係パターンの定量解析法が開発できれば、他者との関わりがうまくいかないことによって生じる社会的ストレスとそれに対する不適合状態への対処法の開発などメンタルヘルス領域での研究開発に応用可能である。
【００４４】
以上の実施例では、相関度の算出に相関係数を用いたが、ｔ値、ＡＮＯＶＡ値等の相関度を表すことができる如何なる統計処理値を使ってもよい。
【符号の説明】
【００４５】
１１  光源
１２  光検出器
１３  計測制御部
１４  無線通信部
１５  電池
２１  通信部
２２  記憶部
２３  解析部
２４  表示データ作成部
２５  表示部
２６  入力部
２７  バスライン
３１  相関係数算出部
３２  参照データ
３３  測定データ
６１  相関係数算出用窓
１００  計測通信モジュール
２００  集中制御装置
３００  被験者
【図１】
0005280494.tif 000002
【図２】
0005280494.tif 000003
【図３】
0005280494.tif 000004
【図４】
0005280494.tif 000005
【図５】
0005280494.tif 000006
【図６】
0005280494.tif 000007
【図７】
0005280494.tif 000008
【図８】
0005280494.tif 000009
【図９】
0005280494.tif 000010
【図１０】
0005280494.tif 000011